(57)【特許請求の範囲】
【請求項１】
シャーシ(７)に載置された箱体(10)内に夫々カートリッジ(６)を保持する複数のホルダ(２)(２)を上下段に配備したカートリッジの収納装置に於いて、
ホルダ(２)を箱体(10)内に収納されたHome位置と、箱体(10)から後退した排出位置との間を移動させる駆動機構(100)と、
駆動機構(100)の駆動位置を検出するスイッチ(ＳＷ1)(ＳＷ3)と、
箱体(10)と各ホルダ(２)との間に位置して、ホルダ(２)の移動に伴って、カートリッジ(６)の箱体(10)への挿入方向を含みシャーシ(７)に垂直な面内にて、ホルダ(２)の姿勢を変えるカム機構(８)とを具え、
該カム機構(８)により、複数枚のカートリッジ(６)(６)はHome位置にて互いに略平行に配備され、排出位置にて互いの後端部の間隔が広くなるように傾いて配備され、
駆動機構(100)は、ホルダ(２)の箱体(10)内に於ける位置に応じて、スイッチ(ＳＷ1)(ＳＷ3)を切り換えるスイッチ操作板(５)、及び該スイッチ操作板(５)に連繋したスライド部材(９)を有し、
スライド部材(９)が一方のスイッチ(ＳＷ3)を一方の状態とし、スイッチ操作板(５)が他方のスイッチ(ＳＷ1)を他方の状態とした位置にて、ホルダ(２)は排出位置に位置し、
スライド部材(９)が一方のスイッチ(ＳＷ3)を他方の状態とし、スイッチ操作板(５)が他方のスイッチ(ＳＷ1)を一方の状態とした位置にて、ホルダ(２)はHome位置に位置することを特徴とするカートリッジの収納装置。
【発明の詳細な説明】
【０００１】
【発明の属する技術分野】
本発明は、複数枚のカートリッジを上下に収納する装置に関し、具体的にはディスク記録又は再生装置に用いられるストッカに関する。
【０００２】
【従来の技術】
図９は、周知のカートリッジ(６)の平面図である。カートリッジ(６)はディスク(60)を回転自在に収納し、上面にスライド可能に設けられたシャッタ(61)が開くことによりディスク(60)が露出する。
図７は、複数枚のカートリッジ(６)(６)を上下段に収納するストッカ(１)の側面図である。ストッカ(１)はシャーシ(７)上に載置された箱体(10)内に、カートリッジ(６)を保持するホルダ(２)を複数段具え、カートリッジ(６)はストッカ(１)外部からホルダ(２)に水平に挿入される。以下の記載に於いて、カートリッジ(６)をホルダ(２)に挿入する方向を前方、逆向きを後方とする。また、カートリッジ(６)が箱体(10)内に収納された位置をHome位置、カートリッジ(６)の前端部がホルダ(２)内に入り、後端部がホルダ(２)の外に突出した位置を排出位置と呼ぶ。
該ストッカ(１)はディスク記録又は再生装置に用いるものであり、後記するようにストッカ(１)から前進したカートリッジ(６)が記録再生ユニット(４)に収納されて、信号の記録又は再生ができる。
【０００３】
図８は、別のストッカ(１)の側面図である。該ストッカ(１)はカートリッジ(６)の挿入方向を含みシャーシ(７)に垂直な面内にて回動可能に配備される。カートリッジ(６)を挿入する際には前端部が下を向くように傾く。カートリッジ(６)はストッカ(１)に斜め下向きに挿入されるから、使用者はカートリッジ(６)を挿入し易い。カートリッジ(６)が挿入された状態でストッカ(１)は反時計方向に回転して、水平姿勢となる。
【０００４】
【発明が解決しようとする課題】
従来のストッカでは、複数枚のカートリッジ(６)(６)がストッカ(１)から一斉に排出されると、カートリッジ(６)(６)が互いに接近しているから、所望の１枚のカートリッジ(６)を取り出すときに、隣のカートリッジ(６)に指が当たり、取り出しにくい問題があった。また、１つのカートリッジ(６)がホルダ(２)から排出側に突出している場合に、隣の空いているホルダ(２)にカートリッジ(６)を挿入せんとする場合にも、ホルダ(２)から突出しているカートリッジ(６)に指が当たり、挿入しにくい問題もあった。
本発明の目的は、所望のカートリッジをストッカに挿入し、又はストッカから排出する際の作業性を改善することにある。
【０００５】
【課題を解決する為の手段】
カートリッジの収納装置は、ホルダ(２)を箱体(10)内に収納されたHome位置と、箱体(10)から後退した排出位置との間を移動させる駆動機構(100)と、
駆動機構(100)の駆動位置を検出するスイッチ(ＳＷ1)(ＳＷ3)と、
箱体(10)と各ホルダ(２)との間に位置して、ホルダ(２)の移動に伴って、カートリッジ(６)の箱体(10)への挿入方向を含みシャーシ(７)に垂直な面内にて、ホルダ(２)の姿勢を変えるカム機構(８)とを具え、
該カム機構(８)により、複数枚のカートリッジ(６)(６)はHome位置にて互いに略平行に配備され、排出位置にて互いの後端部の間隔が広くなるように傾いて配備され、
駆動機構(100)は、ホルダ(２)の箱体(10)内に於ける位置に応じて、スイッチ(ＳＷ1)(ＳＷ3)を切り換えるスイッチ操作板(５)、及び該スイッチ操作板(５)に連繋したスライド部材(９)を有し、
スライド部材(９)が一方のスイッチ(ＳＷ3)を一方の状態とし、スイッチ操作板(５)が他方のスイッチ(ＳＷ1)を他方の状態とした位置にて、ホルダ(２)は排出位置に位置し、
スライド部材(９)が一方のスイッチ(ＳＷ3)を他方の状態とし、スイッチ操作板(５)が他方のスイッチ(ＳＷ1)を一方の状態とした位置にて、ホルダ(２)はHome位置に位置する。
【０００６】
【作用及び効果】
排出位置
排出位置では、上下段に配備されたカートリッジ(６)(６)は箱体(10)内にて傾いて、互いの後端部の間隔が広く空いている。これにより、ストッカ(１)から排出された所望のカートリッジ(６)を取り出す際に、隣のカートリッジ(６)に指が当たる虞れは少なくなり、カートリッジ(６)を取り出す際の作業性が良くなる。また、所望のカートリッジ(６)をストッカ(１)に挿入する際にも、隣のカートリッジ(６)に指が当たる虞れは少なくなる。
Home位置
Home位置では、複数枚のカートリッジ(６)(６)は互いに略平行に配備される。カートリッジ(６)はホルダ(２)に保持され、該ホルダ(２)はHome位置にて箱体(10)内に収納されるが、カートリッジ(６)(６)は互いに略平行に配備されているから、箱体(10)を低くすることができる。即ち、ストッカ(１)及び該ストッカ(１)を具えるディスク記録又は再生装置全体の小型化が図れる。
【０００７】
【発明の実施の形態】
(全体構成)
以下、本発明の一例を図を用いて詳述する。
図１は、ディスク記録又は再生装置の概略構成を示す側面図である。キャビネット(70)内には、シャーシ(７)に載置されたストッカ(１)、及びストッカ(１)の前方に位置する昇降キャリッジ(３)、記録再生ユニット(４)が設けられている。ストッカ(１)は従来と同様に、箱体(10)内にカートリッジ(６)を夫々保持する複数のホルダ(２)(２)を上下段に配備して構成される。カートリッジ(６)はホルダ(２)とともに移動する。
箱体(10)の天板上には、カートリッジ(６)及びホルダ(２)を搬送する駆動機構(100)が設けられ、該駆動機構(100)によりホルダ(２)に挿入されたカートリッジ(６)はHome位置に到達した後に、ホルダ(２)の前面から突出した送受位置(図６参照)に達する。送受位置にてカートリッジ(６)は、昇降キャリッジ(３)内の送り機構(図示せず)によって昇降キャリッジ(３)に引き込まれ、昇降キャリッジ(３)が記録再生ユニット(４)に向かって下降する。
【０００８】
図２は、昇降キャリッジ(３)、記録再生ユニット(４)の断面側面図である。昇降キャリッジ(３)内にてカートリッジ(６)のシャッタ(61)が開く。記録再生ユニット(４)はベース(40)上に記録ヘッド(41)、ピックアップ(42)、ターンテーブル(43)を周知の如く具え、昇降キャリッジ(３)に収納されたカートリッジ(６)内のディスク(60)はターンテーブル(43)により回転され、ピックアップ(42)により信号が再生される。記録ヘッド(41)が昇降キャリッジ(３)に開設された透窓(30)を通ってディスク(60)に接し、ピックアップ(42)によりビームが照射されつつ信号が記録される。
【０００９】
図３は、ストッカ(１)及び駆動機構(100)の分解斜視図である。ストッカ(１)を構成する箱体(10)の側面には第１、第２水平溝(88a)(88b)、第１カム溝(80)、第２カム溝(81)、第３カム溝(82)、第４カム溝(83)、第５カム溝(84)、第６カム溝(85)が開設され、箱体(10)の内側には、前記ホルダ(２)及びスライド部材(９)が配備される。ホルダ(２)はスライド部材(９)の内側に配備される。図３ではホルダ(２)は１つしか図示しないが、実際は３段設けられる。
スライド部材(９)は箱体(10)の天面に対向する平板(90)の両端部から脚片(91)(91)を下向きに突出し、各脚片(91)には縦孔(92)が開設されている。また、平板(90)にはラック(93)、突起(94)、突軸(95)が設けられている。
ホルダ(２)の側面の前後端部からは、突起(20)(21)が突出し、前端部の突起(20)は第１〜第３カム溝(80)(81)(82)に、後端部の突起(21)はスライド部材(９)の縦孔(92)を通って第４〜第６カム溝(83)(84)(85)に嵌まる。第１〜第６カム溝(80)(81)(82)(83)(84)(85)と、突起(20)(21)にてホルダ(２)の傾きを変えるカム機構(８)を構成する。スライド部材(９)は第１、第２水平溝(88a)(88b)に嵌まって、前後移動のみを許される。
【００１０】
箱体(10)の天板には、前記突軸(95)が貫通する長孔(14)、ラック(93)が貫通する開口(11)、及び該開口(11)に被さり左右にスライドするスイッチ操作板(５)が設けられている。スイッチ操作板(５)の移行路側方には、切換スイッチ(ＳＷ1)(ＳＷ2)(ＳＷ3)が設けられ、該３つのスイッチ(ＳＷ1)(ＳＷ2)(ＳＷ3)のＯＮ、ＯＦＦ状態によって後記の如く、ホルダ(２)の前後位置を判別する。
箱体(10)の天板には、モータ(Ｍ)及び該モータ(Ｍ)に連繋したギア列(12)が設けられ、該ギア列(12)の下流端のギア(13)が、開口(11)を通ったスライド部材(９)のラック(93)及びスイッチ操作板(５)に形成されたラック(50)に噛合する。モータ(Ｍ)、ギア列(12)、スライド部材(９)、スイッチ操作板(５)にて駆動機構(100)を構成する。
スイッチ操作板(５)の裏面には凹溝(51)が形成され、スライド部材(９)の平板(90)から突出した突起(94)が箱体(10)の天板を通って該凹溝(51)に嵌まる。モータ(Ｍ)、ギア列(12)、スライド部材(９)にてホルダ(２)を送受位置、Home位置、排出位置の間を移動させる駆動機構(100)を形成する。
【００１１】
排出位置
図４(a)は、排出位置に於けるストッカ(１)の平面図、図４(b)は図４(a)の右側面図である。図４(a)にあっては、説明の便宜上、ギア(13)以外のギア列(12)の図示を省き、箱体(10)を一点鎖線で示し、箱体(10)の天板の下方に配備されたスライド部材(９)を実線で示す。
第１〜第３カム溝(80)(81)(82)は、第１水平部(86a)と該第１水平部(86b)の前端から斜め上向きに延びた傾斜部(86b)と、該傾斜部(86b)の上端から前方に延びた第２水平部(86c)を具え、略同一形状に形成される。第４カム溝(83)は略水平に形成され、第５カム溝(84)と第６カム溝(85)はともに、第３水平部(87a)と、傾斜部(87b)と、第４水平部(87c)を具えるが、傾斜部(87b)の傾き勾配が異なる。具体的には、第５カム溝(84)の傾斜部(87b)は、第６カム溝(85)の傾斜部(87b)よりも緩やかであり、第２カム溝(81)の第１水平部(86a)から第５カム溝(84)の第３水平部(87a)までの高さＨは、第３カム溝(82)の第１水平部(86a)から第６カム溝(85)の第３水平部(87a)までの高さｈよりも高い。また、第１カム溝(80)の第１水平部(86a)から第４カム溝(83)までの高さＬは、前記高さＨよりも高い。
【００１２】
図４(a)に示すように、スイッチ操作板(５)の凹溝(51)は、前に延びた前後凹部(52)と、該前後凹部(52)の前端から前に向かって右向きに傾いた第１傾斜凹部(53)と、該第１傾斜凹部(53)の先端から右向きに延びた左右凹部(54)と、該左右凹部(54)から前に向かって右向きに傾いた第２傾斜凹部(55)とを具えている。
排出位置にあっては、スライド部材(９)のラック(93)がギア(13)に噛合し、スイッチ操作板(５)のラック(50)はギア(13)から離れている。また、スライド部材(９)の突起(94)は、凹溝(51)の前後凹部(52)の後端に嵌まっている。
【００１３】
この状態にて、図４(b)に示すように、各ホルダ(２)は突起(20)(21)が第１〜第３カム溝(80)(81)(82)の後端、及び第４〜第６カム溝(83)(84)(85)の後端に位置する。ここに於いて、第１〜第３カム溝(80)(81)(82)は略同一形状に形成され、第１カム溝(80)の第１水平部(86a)から第４カム溝(83)のまでの高さＬは、前記高さＨよりも高く、高さＨは高さｈよりも高いから、最も上端に位置するホルダ(２)の傾きが大きく、最も下端に位置するホルダ(２)の傾きが小さい。
即ち、排出位置では、上下段に配備されたカートリッジ(６)(６)は互いの後端部の間隔が広く空いている。これにより、ストッカ(１)から排出された所望のカートリッジ(６)を取り出す際に、隣のカートリッジ(６)に指が当たる虞れは少なくなり、カートリッジ(６)を取り出す際の作業性が良くなる。また、所望のカートリッジ(６)をストッカ(１)に挿入する際にも、隣のカートリッジ(６)に指が当たる虞れは少なくなる。
排出位置にあっては、図４(a)に示すように、スイッチ操作板(５)は両切換スイッチ(ＳＷ1)(ＳＷ2)の右方に位置しており、切換スイッチ(ＳＷ1)(ＳＷ2)はともにＯＦＦとなっている。切換スイッチ(ＳＷ3)はスライド部材(９)の突軸(95)に押し込まれてＯＮになっている。
【００１４】
Home位置
排出位置からモータ(Ｍ)が回転して、ギア(13)が反時計方向に回転すると、スライド部材(９)が前進する。突軸(95)が切換スイッチ(ＳＷ3)から離れて、該切換スイッチ(ＳＷ3)はＯＦＦになる。ホルダ(２)は、突起(21)がスライド部材(９)の縦孔(92)に嵌まっているから、スライド部材(９)の前進に伴ってホルダ(２)も前進する。スライド部材(９)の突起(94)は凹溝(51)内を前進し、第１傾斜凹部(53)の側壁を押す。スイッチ操作板(５)は左向きに移動し、ラック(50)がギア(13)に噛合する。ギア(13)は反時計方向に回転しているから、スイッチ操作板(５)は左向きに移動する。スイッチ操作板(５)が右側の切換スイッチ(ＳＷ1)を押し込み、ＯＮとすると、モータ(Ｍ)が停止する。スライド部材(９)及びホルダ(２)は図５(a)、(b)に示すHome位置に達する。
Home位置にあっては、ホルダ(２)の突起(20)(21)は、第１〜第３カム溝(80)(81)(82)の第２水平部(86c)、及び第４〜第６カム溝(83)(84)(85)の第４水平部(87c)に達する。各ホルダ(２)は水平状態となり、カートリッジ(６)(６)は互いに略平行に配備される。これにより、箱体(10)を低くすることができ、ストッカ(１)及び該ストッカ(１)を具えるディスク記録又は再生装置全体の小型化が図れる。
【００１５】
送受位置
Home位置から更にモータ(Ｍ)が回転すると、図６(a)に示すように、スイッチ操作板(５)が左向きに移動する。凹溝(51)の第２傾斜凹部(55)はスライド部材(９)の突起(94)を押して前進させ、スライド部材(９)のラック(93)とギア(13)の噛合を外す。スイッチ操作板(５)は、両切換スイッチ(ＳＷ1)(ＳＷ2)を押してＯＮにし、モータ(Ｍ)の回転を停止させる。
スライド部材(９)は送受位置に達し、図６(b)に示すように、カートリッジ(６)は箱体(10)から前方に突出する。前記の如く、送受位置にてカートリッジ(６)は昇降キャリッジ(３)内に引き込まれ、該昇降キャリッジ(３)が記録再生ユニット(４)に向かって下降し、信号の記録又は再生がされる。
尚、昇降キャリッジ(３)からカートリッジ(６)を排出するには、前記と逆の動作を行う。
【００１６】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
上記例では、ストッカ(１)に収納されるものとして、ディスク(60)を内包したカートリッジ(６)を例示したが、他のカード状の記録媒体であってもよい。
【図面の簡単な説明】
【図１】ディスク記録又は再生装置の概略構成を示す側面図である。
【図２】昇降キャリッジ、及び記録再生ユニットの断面側面図である。
【図３】ストッカ及び駆動機構の分解斜視図である。
【図４】(a)は、排出位置に於けるストッカの平面図、(b)は(a)の右側面図である。
【図５】(a)は、Home位置に於けるストッカの平面図、(b)は(a)の右側面図である。
【図６】(a)は、送受位置に於けるストッカの平面図、(b)は(a)の右側面図である。
【図７】複数枚のカートリッジを上下段に収納するストッカの側面図である。
【図８】別のストッカの側面図である。
【図９】カートリッジの平面図である。
【符号の説明】
(２)  ホルダ
(６)  カートリッジ
(７)  シャーシ
(８)  カム機構
(10)  箱体
【図１】
0003806595.tif 000002
【図２】
0003806595.tif 000003
【図３】
0003806595.tif 000004
【図４】
0003806595.tif 000005
【図５】
0003806595.tif 000006
【図６】
0003806595.tif 000007
【図７】
0003806595.tif 000008
【図８】
0003806595.tif 000009
【図９】
0003806595.tif 000010